(57)【特許請求の範囲】
【請求項１】
液晶ディスプレイを照明するバックライトの照明を制御する制御モジュールを備え、
前記制御モジュールは第１の周波数で前記バックライトを交互にオンおよびオフにすることと、第２の周波数で前記バックライトをオンおよびオフにすることとの切り替えを行うとともに、表示されるコンテンツについて録画映像の劣化が望まれているか否かを示す信号に基づいて前記切り替えを有効または無効にし、かつ、前記第１の周波数を、周波数の複数の範囲からランダムに選択される第３の周波数にランダムなタイミングで変更し、
前記第２の周波数は前記第１の周波数と異なる装置。
【請求項２】
前記バックライトは発光ダイオードまたは冷陰極蛍光ランプのいずれかである、請求項１に記載の装置。
【請求項３】
前記制御モジュールは、前記第１の周波数で前記バックライトをオンおよびオフにする前記第１の周波数の第１のパルス幅変調信号と、前記第２の周波数で前記バックライトをオンおよびオフにする前記第２の周波数の第２のパルス幅変調信号とを用いる、請求項１または２に記載の装置。
【請求項４】
前記第１のパルス幅変調信号のデューティサイクルは、前記第２のパルス幅変調信号のデューティサイクルに等しい、請求項３に記載の装置。
【請求項５】
前記制御モジュールは１分以上の間隔で、第１の周波数で前記バックライトをオンおよびオフにし、１分以上の間隔で、第２の周波数で前記バックライトをオンおよびオフにする、請求項１に記載の装置。
【請求項６】
液晶ディスプレイの第１の部分を照明する第１のバックライトと、
前記液晶ディスプレイの第２の部分を照明する第２のバックライトと、
前記第１および第２のバックライトの前記照明を制御する制御モジュールとを備え、
前記制御モジュールは、表示されるコンテンツについて録画映像の劣化が望まれているか否かを示す信号に基づいて、第１の周波数で前記第１のバックライトをオンおよびオフにし、第２の周波数で前記第２のバックライトをオンおよびオフにすることを有効にし、かつ、前記第１の周波数を、周波数の複数の範囲からランダムに選択される第３の周波数にランダムなタイミングで変更し、
前記第２の周波数は前記第１の周波数と異なる装置。
【請求項７】
前記第１および第２のバックライトは発光ダイオードまたは冷陰極蛍光ランプのいずれかである、請求項６に記載の装置。
【請求項８】
前記制御モジュールは、前記第１の周波数で前記第１のバックライトをオンおよびオフにする前記第１の周波数の第１のパルス幅変調信号と、前記第２の周波数で前記第２のバックライトをオンおよびオフにする前記第２の周波数の第２のパルス幅変調信号とを生成する、請求項６または７に記載の装置。
【請求項９】
前記第１のパルス幅変調信号のデューティサイクルは、前記第２のパルス幅変調信号のデューティサイクルに等しい、請求項８に記載の装置。
【請求項１０】
前記液晶ディスプレイの第３の部分を照明する第３のバックライトを更に備える、請求項６に記載の装置。
【請求項１１】
前記制御モジュールは前記第３のバックライトの前記照明を制御し、前記第１の周波数および前記第２の周波数とは異なる周波数で前記第３のバックライトをオンおよびオフにする、請求項１０に記載の装置。
【請求項１２】
請求項６に記載の装置を備える、電子デバイス。
【請求項１３】
第１の周波数で第１のバックライトをオンおよびオフにし、前記第１のバックライトは液晶ディスプレイの第１の部分を照明する段階と、
第２の周波数で第２のバックライトをオンおよびオフにし、前記第２のバックライトは前記液晶ディスプレイの第２の部分を照明し、前記第２の周波数は前記第１の周波数と異なる段階と、
表示されるコンテンツについて録画映像の劣化が望まれているか否かを示す信号に基づいて、前記第１の周波数で前記第１のバックライトをオンおよびオフにし、前記第２の周波数で前記第２のバックライトをオンおよびオフにすることを有効にする段階と、
前記第１の周波数を、周波数の複数の範囲からランダムに選択される第３の周波数にランダムなタイミングで変更する段階とを
備える方法。
【請求項１４】
前記第２のバックライトをオンおよびオフにする前記第２の周波数を変更する段階を更に備える、請求項１３に記載の方法。
【請求項１５】
前記第２の周波数をランダムな間隔でランダム周波数に変更する、請求項１４に記載の方法。
【請求項１６】
第１の期間中に前記第１の周波数で前記第１のバックライトをオンおよびオフに、前記第１の周波数とは異なる周波数で前記第２のバックライトをオンおよびオフにし、第２の期間中に前記第２の周波数で前記第２のバックライトをオンおよびオフに、前記第２の周波数とは異なる周波数で前記第１のバックライトをオンおよびオフにする、請求項１３に記載の方法。
【請求項１７】
システムであって、
バッテリと、
前記バッテリからの電力を用いて、液晶ディスプレイを照明するバックライトと、
第１の周波数で前記バックライトをオンおよびオフにすることと、第２の周波数で前記バックライトをオンおよびオフにすることとの間で切り替えを行い、前記バックライトの前記照明を制御するとともに、表示されるコンテンツについて録画映像の劣化が望まれているか否かを示す信号に基づいて前記切り替えを有効または無効にし、前記第２の周波数は前記第１の周波数と異なる制御モジュールと
を備え、
前記制御モジュールは、前記第１の周波数を、周波数の複数の範囲からランダムに選択される第３の周波数にランダムなタイミングで変更するシステム。
【請求項１８】
前記バックライトは、発光ダイオードまたは冷陰極蛍光ランプのいずれかである、請求項１７に記載のシステム。
【請求項１９】
前記制御モジュールは、前記第１の周波数で前記バックライトをオンおよびオフにする前記第１の周波数の第１のパルス幅変調信号と、前記第２の周波数で前記バックライトをオンおよびオフにする前記第２の周波数の第２のパルス幅変調信号とを用いる、請求項１７または１８に記載のシステム。
【請求項２０】
前記第１のパルス幅変調信号のデューティサイクルは、前記第２のパルス幅変調信号のデューティサイクルに等しい、請求項１９に記載のシステム。
【請求項２１】
前記制御モジュールは１分以上の間隔で、第１の周波数で前記バックライトをオンおよびオフにし、１分以上の間隔で、第２の周波数で前記バックライトをオンおよびオフにする、請求項１７に記載のシステム。
【請求項２２】
プロセッサによって方法を実行するためのプログラムであって、前記方法は、
第１の周波数で液晶ディスプレイを照明するバックライトをオンおよびオフにする手順と、
第２の周波数で前記バックライトをオンおよびオフにし、前記第２の周波数は前記第１の周波数と異なる手順と、
前記第１の周波数で前記バックライトをオンおよびオフにする手順と、前記第２の周波数で前記バックライトをオンおよびオフにする手順との切り替えを行う手順と、
表示されるコンテンツについて録画映像の劣化が望まれているか否かを示す信号に基づいて前記切り替えを有効または無効にする手順と、
前記第１の周波数を、周波数の複数の範囲からランダムに選択される第３の周波数にランダムなタイミングで変更する手順と
を含むプログラム。
【請求項２３】
制御モジュールは前記バックライトをオンおよびオフにし、前記制御モジュールは、前記第１の周波数で前記バックライトをオンおよびオフにする前記第１の周波数の第１のパルス幅変調信号と、前記第２の周波数で前記バックライトをオンおよびオフにする前記第２の周波数の第２のパルス幅変調信号とを用いる、請求項２２に記載のプログラム。
【請求項２４】
前記第１のパルス幅変調信号のデューティサイクルは、前記第２のパルス幅変調信号のデューティサイクルに等しい、請求項２３に記載のプログラム。
【発明の詳細な説明】
【背景技術】
【０００１】
正確なテクスチャの検出および解析の性能は画像解析を行う場合に重要な課題である。具合的には、テクスチャの検出および解析はフレームレートアップ変換、動画監視等のフレーム補間で用いる動作を検出するときに使用される。動画を扱うときのリアルタイムまたはほぼリアルアイムでのそのような解析の性能は、実質的に計算的リソースを必要とする可能性がある。
【０００２】
従って、テクスチャの位置、特に特定可能な周期性で反復する位置を特定するあまり複雑でない解決法を提供する必要がある。
【発明の概要】
【発明が解決しようとする課題】
【０００３】
電子デバイスに用いる様々なディスプレイはバックライトを用いて実装されるとしてもよい。例えば、液晶ディスプレイ（ＬＣＤ）はバックライト機能を必要とすることがある。ディスプレイにおけるバックライトはディスプレイ用の照明を提供する。通常、バックライトはディスプレイ表面の後部または側面に位置付けられる。ＬＣＤでは、バックライトからの照明はディスプレイの表面上の液晶素子を照らす。液晶素子は電流によって制御される向きに依存し、バックライトからの異なる量の照明がディスプレイ表面を通過して発せられることを可能にし、ディスプレイ上に映像を提供する。
【０００４】
バックライトを用いるＬＣＤの画質における近年の改善に伴い、高品質の映像コンテンツを容易に録画することができる。例えば、長編映画および他の著作権を有する資料をコンピュータ、テレビ、または他の電子デバイスのＬＣＤスクリーンから録画することができる。著作権を有する資料を高品質で録画する能力は、映画会社および著作権を有する作品の他の所有者に懸念を生じさせる。その結果、これらの会社および個人はいくつかの場合、および／または特定の条件下ではコンテンツをＬＣＤスクリーン上に表示することを許可しようとしないことがある。
【図面の簡単な説明】
【０００５】
【図１Ａ】いくつかの実施形態による、例示的なシステム１００のブロック図である。
【０００６】
【図１Ｂ】いくつかの実施形態による、図１Ａのシステム１００における例示的な信号１４２のタイミング図解１４０である。
【０００７】
【図２】いくつかの実施形態による、例示的なシステム２００のブロック図である。
【０００８】
【図３】いくつかの実施形態による、例示的なシステム３００のブロック図である。
【０００９】
【図４】いくつかの実施形態による、例示的な方法４００のフローチャートである。
【００１０】
【図５】いくつかの実施形態による、図１Ａの例示的なシステム１００を組み込む例示的なシステム５００のブロック図である。
【発明を実施するための形態】
【００１１】
図１Ａはいくつかの実施形態による、例示的なシステム１００のブロック図である。システム１００は制御モジュール１１０、バックライト１２０、および液晶ディスプレイ（ＬＣＤ）１３０を含む。バックライト１２０は、ＬＣＤ１３０を照明し得る照明１２２を生成するとしてもよい。ＬＣＤ１３０は照明１２２を操作して、ＬＣＤ１３０から発せられる映像を形成するとしてもよい。
【００１２】
ＬＣＤ１３０が照明１２２を操作して映像を形成するとき、照明１２２の基礎となる特性のいくつかはＬＣＤに影響されないことがある。例えば、いくつかの実施形態において、照明１２２のある変調は、ＬＣＤ１３０を通過するするときに影響されないことがある。影響され得ない照明１２２の変調の１つのタイプはある周波数でバックライト１２０をオンおよびオフにし、バックライト１２０にその周波数で照明１２２の規則的な閃光を生成させることによって生成される。
【００１３】
照明１２２の閃光が特定の周波数範囲を超える場合、閃光は人間の目によっては検出可能でない場合がある。例えば、照明１２２の変調周波数がおよそ５０〜６０ヘルツを超える場合、人間の目は変調を検出することができないことがある。しかし、人間の目によって検出可能でない特定の周波数で、ＬＣＤ１３０が生成する映像を録画するために用いるカムコーダーまたはカメラ等の録画装置は、照明１２２の閃光を録画することがある。例えば、いくつかの実施形態において、６０〜１０００ヘルツの範囲の周波数で閃光する照明１２２を用いてＬＣＤ１３０を証明するとき、閃光を録画装置によって録画することができる。従って、人間の目によっては知覚不能であるが録画装置によって録画可能な周波数で閃光する照明１２２を用いてＬＣＤ１３０を照明して、ＬＣＤ１３０がもたらす画質は、人間の目に対しては維持されるが、録画装置に対しては劣化することがある。
【００１４】
いくつかの実施形態において、録画装置の画質は、照明１２２の閃光が線または他の好ましくないアーチファクトとして録画映像に表示され得るので、劣化することがある。例えば、ＬＣＤテレビスクリーン上に表示された映画を録画するカムコーダーは、照明１２２が閃光すると、好ましくない線またはぼやけた部分が動画の録画映像に現れるので動画の質を劣化させていることがある。
【００１５】
いくつかの実施形態において、録画装置は１つの周波数での照明１２２の閃光等を検出し、変調について補正するとしてもよい。しかし、これらまたは他の実施形態において、録画装置は２つ以上の周波数または変化する周波数で照明１２２の変調を補正できないことがある。
【００１６】
システム１００において、制御モジュール１１０は、第１の周波数でバックライト１２０をオンおよびオフにしてバックライト１２０の照明１２２を制御するとしてもよい。バックライト１２０がオンのとき、バックライト１２０は照明１２２を生成する。バックライト１２０がオフのとき、バックライト１２０は照明１２２を生成しない。従って、バックライト１２０をオンおよびオフにすると、バックライト１２０が生成する照明１２２の変調が生じる。また、制御モジュール１１０は、第２の周波数でバックライト１２０をオンおよびオフにして第２の周波数でバックライト１２０が生成する照明１２２の変調を生じさせ、バックライト１２０の照明１２２を制御するとしてもよい。
【００１７】
いくつかの実施形態において、制御モジュール１１０は、第１の周波数でバックライト１２０をオンおよびオフにすることと、第２の周波数でバックライトをオンおよびオフにすることとの間で切り替えてもよい例えば、制御モジュール１１０は第１の周波数で第１の期間中、バックライト１２０をオンおよびオフにするとしてもよい。次いで、制御モジュール１１０は、第２の周波数で第２の期間中、バックライト１２０をオンおよびオフにし、その後、制御モジュール１１０は第１の周波数で第３の期間中、バックライト１２０をオンおよびオフにし、第２の周波数で第４の期間中、バックライト１２０をオンおよびオフにするとしてもよい。
【００１８】
いくつかの実施形態において、制御モジュール１１０が第１および第２の第２の周波数でバックライト１２０をオンおよびオフにする継続期間は、実質的に等しいか、または等しくないとしてもよい。あるいは、または更に、制御モジュール１１０が第１および第２の周波数でバックライト１２０をオンおよびオフにする継続期間は、常数またはランダムであってもよい。いくつかの実施形態において、制御モジュール１１０が第１および第２の周波数でバックライト１２０をオンおよびオフにする継続期間は、ある所定の間隔よりも常に長いとしてもよい。例えば、この間隔は２０秒、３０秒、１分、２分、または他のいくつかの間隔であってもよい。
【００１９】
いくつかの実施形態において、第１および第２の周波数は、制御モジュール１１０が第１の周波数でバックライト１２０をオンおよびオフにすることと、第２の周波数でバックライト１２０をオンおよびオフにすることとの間で切り替えるとき、定数であるとしてもよい。他の実施形態において、第１および／または第２の周波数は、制御モジュール１１０がバックライト１２０を第１の周波数でオンおよびオフにすることと、第２の周波数でオンおよびオフにすることとの間で切り替えるときに変更されてもよい。例えば、いくつかの実施形態において、制御モジュール１１０は第１の周波数を変更するが、第１の周波数でバックライト１２０をオンおよびオフにするとしてもよい。他の実施形態において、制御モジュール１１０は第１の周波数を変更するが、第２の周波数でバックライト１２０をオンおよびオフにするとしてもよい。
【００２０】
いくつかの実施形態において、第１および第２の周波数は予め定めるとしてもよい。あるいは、または更に、第１および第２の周波数はある範囲の周波数からランダムに選択するとしてもよい。例えば、第１および第２の周波数は６０〜１０００ヘルツの範囲の周波数からランダムに選択するとしてもよい。
【００２１】
あるいは、または更に、第１および第２の周波数は録画機器の録画周波数に基いて決定するとしてもよい。例えば、録画装置の１組の知られた録画周波数を前提に、第１および第２の周波数は録画周波数の調和振動数にならないように決定するとしてもよい。例えば、録画装置用に知られた録画周波数が２４、３０、および６０ヘルツである場合、録画装置の１つまたは複数の調和振動数は７２、９０、９６、１２０、１４４、１５０、１６８、１８０、１９２、２１０、２１６、２４０、２６４、２７０、および他の周波数であってもよい。第１および第２の周波数が録画装置の調和振動数である場合、録画映像の質は、第１および第２の周波数でバックライト１２０をオンおよびオフにしても劣化しないことがある。
【００２２】
更に、第１および第２の周波数が録画周波数の高調波に近くなるほど、録画映像の質の劣化が生じることは少なくなる。従って、いくつかの実施形態において、第１および第２の周波数は録画映像の更なる劣化をもたらし得る範囲内で選択するとしてもよい。例えば、録画装置の録画周波数が２４、３０、および６０ヘルツである場合、いくつかの実施形態において、更なる録画映像の劣化をもたらし得る周波数の範囲は、とりわけ、１００〜１１５ヘルツ、１２５〜１３９ヘルツ、１９８〜２０５ヘルツ、２２１〜２３５ヘルツ、および２４５〜２５９ヘルツの周波数を含むとしてもよい。いくつかの実施形態において、第１および第２の周波数は同一の範囲内で選択するとしてもよい。他の実施形態において、第１および第２の周波数は同一の範囲内で選択しないとしてもよい。いくつかの実施形態において、第１および第２の周波数は更なる録画映像の劣化をもたらす周波数の範囲からランダムに選択するとしてもよい。
【００２３】
いくつかの実施形態において、制御モジュール１１０は有効および無効にすることができる。有効にすると、制御モジュール１１０は第１および第２の周波数でバックライト１２０をオンおよびオフにするとしてもよい。無効にすると、制御モジュール１１０はバックライト１２０が通常の動作を行うことを可能にするとしてもよい。例えば、いくつかの実施形態において、制御モジュール１１０は録画映像の劣化が所望である私的なコンテンツ、著作権を有するコンテンツ、および／または任意のコンテンツがＬＣＤ１３０上に表示されることを示す信号を受信するとしてもよい。この信号は、制御モジュール１１０が第１の周波数でバックライト１２０をオンおよびオフにすることと、第２の周波数でバックライトをオンおよびオフにすることとの間で切り替えることを可能にするとしてもよい。あるいは、または更に、制御モジュール１１０は、１つまたは複数の他の要素に基き、有効または無効にすることについて自己決定を行うとしてもよい。
【００２４】
いくつかの実施形態において、バックライト１２０は発光ダイオード、電界発光パネル、冷陰極蛍光ランプ、白熱電球、編み込み光ファイバーメッシュ、温陰極蛍光ランプ、または他の発光素子を用いて実装するとしてもよい。いくつかの実施形態において、バックライト１２０は１つまたは複数の個別の発光素子で構成されるとしてもよい。例えば、いくつかの実施形態において、バックライト１２０は複数の発光ダイオードを含むとしてもよい。これらおよび他の実施形態において、複数の発光ダイオードの全ては、第１または第２の周波数で制御モジュール１１０によって共にオンおよびオフにするとしてもよい。
【００２５】
いくつかの実施形態において、ＬＣＤ１３０は、デスクトップコンピュータ、ラップトップコンピュータ、テレビ、タブレット、ビデオゲームコンソール、スマートフォン、または他の電子デバイス用のディスプレイの一部であってもよい。いくつかの実施形態において、制御モジュール１１０はハードウェア、プログラマブル論理、ソフトウェア、またはそれらの組み合わせを用いて実装するとしてもよい。いくつかの実施形態において、制御モジュール１１０は、ＬＣＤディスプレイを含むシステム内の別のモジュールの一部であってもよい。いくつかの実施形態において、制御モジュール１１０はバックライト１２０に一体化するとしてもよい。
【００２６】
図１Ｂはいくつかの実施形態による、図１Ａのシステム１００における例示的な信号１４２のタイミング図解１４０である。タイミング図解１４０は期間１６０、１６２、１６４、１６６、および信号１４２を例示する。いくつかの実施形態において、信号１４２は、制御モジュール１１０によって生成し、バックライト１２０に送信し、ある周波数でバックライト１２０をオンおよびオフにしてバックライト１２０の照明を制御するとしてもよい。信号１４２は、高いレベル１５２にあることと低いレベル１５４にあることとの間で切り替えるとしてもよい。高いレベル１５２で、信号１４２はバックライト１２０をオンにするとしてもよい。低レベル１５４で、信号１４２はバックライト１２０をオフにするとしてもよい。各期間１６０、１６２、１６４、１６６の間、信号１４２は高いレベル１５２に、次いで低いレベル１５４に遷移して、バックライト１２０をオンにし、その後オフにするとしてもよい。所定の時間内に生じるいくつかの期間は、信号１４２がバックライト１２０をオンおよびオフにする周波数を決定する。例えば、２００の期間が１秒以内に生じた場合、バックライト１２０を１秒で２００回オンおよびオフにしたことを意味し、バックライト１２０を２００ヘルツの周波数でオンおよびオフにすることになる。いくつかの実施形態において、制御モジュール１１０は、パルス幅変調を用いて信号１４２を生成するとしてもよい。これらおよび他の実施形態において、１つの期間中に低いレベル１５４と比較して信号１４２が高いレベル１５２にある時間の比率である、信号１４２のデューティサイクルは、デューティサイクルが１００パーセント未満にとどまる限り、調整されるとしてもよい。制御モジュール１１０が第１および第２の信号を用いて、第１の周波数でバックライト１２０をオンおよびオフにすることと、第２の周波数でバックライト１２０をオンおよびオフにすることとの間で切り替えるいくつかの実施形態において、第１および第２の信号のデューティサイクルは実質的に等しいとしてもよい。第１および第２の周波数のデューティサイクルが実質的に等しくない場合、デューティサイクルが変化すると、人間の目はＬＣＤ１３０から発する照明１２２の強度における変化を検出するとしてもよい。
【００２７】
図２は、いくつかの実施形態による、例示的なシステム２００のブロック図である。システム２００は、制御モジュール２１０、第１および第２のバックライト２２０、２２２、ならびにＬＣＤ２３０を含む。第１のバックライト２２０は照明２２１を生成し、ＬＣＤ２３０の第１の部分２３２を照明するとしてもよい。第２のバックライト２２２は照明２２３を生成し、ＬＣＤ２３０の第２の部分２３４を照明するとしてもよい。制御モジュール２１０は第１および第２のバックライト２２０、２２２の両方に接続され、第１の周波数で第１のバックライト２２０をオンおよびオフにし、第２の周波数で第２のバックライト２２２をオンおよびオフにして、第１および第２のそれぞれのバックライト２２０、２２２によって生成された照明２２１、２２３を制御するとしてもよい。いくつかの実施形態において、第２の周波数は第１の周波数と同一であるか、またはこれと異なってもよい。
【００２８】
いくつかの実施形態において、制御モジュール２１０は第１の周波数で第１の制御信号を第１のバックライト２２０に送信し、第１の周波数で第１のバックライト２２０をオンおよびオフにするとしてもよい。また、制御モジュール２１０は第２の周波数で第２の制御信号を第２のバックライト２２２に送信し、第２の周波数で第２のバックライト２２２をオンおよびオフにするとしてもよい。いくつかの実施形態において、第１および第２の制御信号はパルス幅変調信号であってもよい。あるいは、または更に、第１および第２の制御信号は同一または類似のデューティサイクルを有するとしてもよい。
【００２９】
いくつかの実施形態において、制御モジュール２１０はいずれかの制御信号の周波数を変更し、それによってバックライト２２０、２２２をオンおよびオフにする周波数を変更するとしてもよい。制御モジュール２１０は、いずれかの制御信号の周波数を周期的またはランダムに変更するとしてもよい。いくつかの実施形態において、制御モジュール２１０は、制御信号の周波数のいずれかを変更する間の最小時間間隔をおいて待つとしてもよい。例えば、いくつかの実施形態において、最小時間間隔は２０秒、３０秒、１分、２分、または他のいくつかの間隔であってもよい。いくつかの実施形態において、制御信号の周波数は、同一の時間または異なる時間で変更されるとしてもよい。制御モジュール２１０は、周波数の１つの範囲または周波数の複数の範囲から所定周波数またはランダム周波数に、制御信号の周波数を変更するとしてもよい。例えば、いくつかの実施形態において、制御モジュール２１０は、上述のように録画映像の更なる劣化をもたらす周波数の範囲から周波数をランダムに選択するとしてもよい。
【００３０】
いくつかの実施形態において、制御モジュール２１０は第１および第２のバックライト２２０、２２２を制御し、従ってバックライト２２０、２２２のうちの一方のみをある時間にオンおよびオフにするが、バックライト２２０、２２２のうちの他方は録画映像を劣化させないとしてもよい。例えば、制御モジュール２１０は第１の期間中に第１の周波数で第１のバックライト２２０をオンおよびオフにするが、第２の周波数で第２のバックライト２２２をオンおよびオフにしないとしてもよい。第２の期間に、制御モジュールは第２の周波数で第２のバックライト２２２をオンおよびオフにするが、第１の周波数で第１のバックライト２２０をオンおよびオフにしないとしてもよい。これらおよび他の実施形態において、録画映像の一部のみを任意の時間に劣化させるとしてもよい。
【００３１】
いくつかの実施形態において、バックライト２２０、２２２は、発光ダイオード、電界発光パネル、冷陰極蛍光ランプ、白熱電球、編み込み光ファイバーメッシュ、温陰極蛍光ランプ、または他の発光素子を用いて実装するとしてもよい。いくつかの実施形態において、バックライト２２０、２２２は、同一または異なる発光素子を用いて実装するとしてもよい。更に、いくつかの実施形態において、各バックライト２２０、２２２は１つまたは複数の個別の発光素子から構成されるとしてもよい。
【００３２】
いくつかの実施形態において、システム２００は、ＬＣＤ２３０の第３の部分を照明する照明を生成し得る、第３のバックライトを含むとしてもよい。制御モジュール２１０は第３の周波数で第３のバックライトをオンおよびオフにして、第３のバックライトが生成する照明を制御するとしてもよい。更に、いくつかの実施形態において、ＬＣＤ２３０のために照明を生成する個別の各発光素子は、制御モジュール２１０または他の何らかのモジュールによって制御され、同一もしくは異なる周波数、または周波数の何らかの組み合わせで個別の発光素子のそれぞれをオンおよびオフにするとしてもよい。
【００３３】
図３は、いくつかの実施形態による、例示的なシステム３００のブロック図である。システム３００は制御モジュール３１０、第１および第２のバックライト３２０、３２２、およびＬＣＤ３３０を含む。第１のバックライト３２０は、ＬＣＤ３３０の第１の部分３３２を照明する照明３２１を生成する、複数の発光ダイオードであってもよい。第１のバックライト３２０は、第１のスイッチ３２６を閉じると、照明３２１を生成するとしてもよい。閉位置で、第１のスイッチ３２６は電圧ＶＤＤと接地との間の第１のバックライト３２０を結合し、電流が第１のバックライト３２０を通って流れることを可能にし、バックライト３２０内の発光ダイオードに照明３２１を生成させるとしてもよい。第１のスイッチ３２６が開くとき、電流は第１のバックライト３２０を通って流れず、従って照明３２１を生成しないとしてもよい。
【００３４】
第２のバックライト３２２は、ＬＣＤ３３０の第２の部分３３４を照明する照明３２３を生成する、複数の発光ダイオードであってもよい。第２のバックライト３２２は、第２のスイッチ３２８を閉じると、照明３２３を生成するとしてもよい。閉位置で、第２のスイッチ３２８はＶＤＤと接地との間の第２のバックライト３２２を結合し、電流が第２のバックライト３２２を通って流れることを可能にし、第２のバックライト３２２内の発光ダイオードに照明３２３を生成させるとしてもよい。第２のスイッチ３２８が開くと、電流は第２のバックライト３２２を通って流れず、従って照明３２３を生成しないとしてもよい。いくつかの実施形態において、第１および第２のスイッチ３２６、３２８はトランジスタ、または他のいくつかのタイプのスイッチまたはスイッチング回路であってもよい。
【００３５】
制御モジュール３１０は第１および第２のスイッチ３２６、３２８の両方の動作を制御するとしてもよい。第１および第２のそれぞれの周波数で第１および第２のスイッチ３２６、３２８をオンおよびオフにして、制御モジュール３１０は、第１および第２のそれぞれの周波数で第１および第２のバックライト３２０、３２２をオンおよびオフにするとしてもよい。いくつかの実施形態において、制御モジュール３１０は、スイッチ３２６、３２８のそれぞれにパルス幅変調信号を提供して第１および第２のスイッチ３２６、３２８の動作を制御するとしてもよい。これらおよび他の実施形態において、制御モジュール３１０は、２つの出力部を有するパルス幅変調信号生成装置であってもよい。いくつかの実施形態において、制御モジュール３１０は、図１Ａおよび２を参照する上述の制御信号の周波数を変更および／または決定するとしてもよい。
【００３６】
図４は、いくつかの実施形態による、例示的な方法４００のフローチャートである。方法４００は、例えば、図２を参照して説明したシステム２００によって実行するとしてもよい。本明細書に記載するフローチャートは行為に固定された順序を必ずしも意味せず、実施可能な任意の順序で実施形態を実行することができる。本明細書に説明する方法のいずれもハードウェア、ソフトウェア（マイクロコードを含む）、またはハードウェアおよびソフトウェアの組み合わせによって実行することができることに留意されたい。例えば、ストレージ媒体は、マシンによって実行すると、本明細書に説明する実施形態のいずれかによる性能をもたらす命令を記憶する。
【００３７】
４１０で、第１の周波数で第１のバックライトをオンおよびオフにするとしてもよい。第１のバックライトはＬＣＤの第１の部分を照明するとしてもよい。４２０で、第２の周波数で第２のバックライトをオンおよびオフにするとしてもよい。第２のバックライトはＬＣＤの第２の部分を照明するとしてもよい。いくつかの実施形態において、第１および第２の周波数は異なる。
【００３８】
いくつかの実施形態において、方法４００は、第１のバックライトをオンおよびオフにする第１の周波数を変更する段階を更に含むとしてもよい。あるいは、または更に、方法４００は、第２のバックライトをオンおよびオフにする第２の周波数を変更する段階を更に含むとしてもよい。第１および第２の周波数は、所定周波数、ランダム周波数、またはそれらのいくつかの組み合わせに変更するとしてもよい。いくつかの実施形態において、第１および第２の周波数は、およそ６０〜１０００ヘルツの範囲等の周波数範囲から選択されたランダム周波数に変更するとしてもよい。あるいは、または更に、第１および第２の周波数は、周波数の複数の範囲から選択されたランダム周波数に変更するとしてもよい。いくつかの実施形態において、複数の範囲の周波数は、ＬＣＤから映像を録画し得る録画装置の録画周波数および調和振動数に依存することがある。
【００３９】
いくつかの実施形態において、第１および第２の周波数のうちの一方を変更し、他方は変更しないとしてもよい。いくつかの実施形態において、第１および第２の周波数は、ランダムな間隔または設定間隔で変更するとしてもよい。いくつかの実施形態において、ランダムな間隔または設定間隔は１分より長くてもよい。
【００４０】
いくつかの実施形態において、第１の期間中に第１の周波数で第１のバックライトのみをオンおよびオフにするとしてもよく、第２の期間中に第２の周波数で第２のバックライトのみをオンおよびオフにするとしてもよい。これらおよび他の実施形態において、第１の期間は同一であるか、第２の期間よりも長いか、または短くてもよい。いくつかの実施形態において、本方法は、第１および第２の周波数と異なる第３の周波数で第３のバックライトをオンおよびオフにする段階を更に含むとしてもよい。第３のバックライトはＬＣＤの第３の部分を照明するとしてもよい。いくつかの実施形態において、方法４００は、ＬＣＤから録画装置によって記録した映像の画質を劣化させるように実行するとしてもよい。
【００４１】
図５はいくつかの実施形態による、図１Ａの例示的なシステム１００を組み込む例示的なシステム５００のブロック図である。システム５００はシステム１００、ならびに１つまたは複数の他のモジュールを含むとしてもよい。例えば、いくつかの実施形態において、システム５００はデスクトップモニタ、ラップトップコンピュータ、テレビ、タブレット、ビデオゲームコンソール、スマートフォン、または他の電子デバイスであってもよい。ＬＣＤ１３０はシステム５００内のディスプレイであってもよく、システム５００内の１つまたは複数のモジュールから信号を受信するとしてもよい。制御モジュール１１０は別個のモジュールであってもよく、またはシステム５００内の１つまたは複数のモジュールに一体化してもよい。いくつかの実施形態によれば、制御モジュール１１０はＬＣＤ１３０に電力供給するバッテリを含む。
【００４２】
特定のシステム、ハードウェア、およびインターフェース構成を本明細書で説明したが、実施形態は、その他のタイプのシステム、ハードウェア、および／またはインターフェース構成を用いて実行することができる。同様に、具体的な方法を説明したが、本明細書に説明した実施形態に関して任意の数の他のタイプの方法を実行することができる。
【００４３】
本明細書で説明するいくつかの実施形態は例示のみのためのものである。当業者は、特許請求の範囲によって限定される変更形態および改変形態を用いて他の実施形態を実施し得ることを本明細書から理解するであろう。
【図１Ａ】
0005933030.tif 000002
【図１Ｂ】
0005933030.tif 000003
【図２】
0005933030.tif 000004
【図３】
0005933030.tif 000005
【図４】
0005933030.tif 000006
【図５】
0005933030.tif 000007